(57)【要約】      （修正有）【課題】フォトリソグラフィのレチクルを評価する方法およびシステムを開示する。【解決手段】レチクル検査ツールを使用して、較正レチクルのパターンエリアの各々から異なるイメージング構成で画像を取得する。レチクルの近距離場は、較正レチクルの各エリアから取得した画像に基づいてパターンエリアごとに再現される。較正レチクルの再現されたレチクルの近距離場を用いて、ウエハ画像をシミュレートするためのモデルがレチクルの近距離場に基づいて生成される。次いで、テストレチクルのエリアの各々から異なるイメージング構成で画像が取得される。次いで、テストレチクルの近距離場が、テストレチクルから取得した画像に基づいて再現される。生成されたモデルをテストレチクルについてのレチクルの近距離場に適用し、複数のテストウエハ画像をシミュレートし、解析して、テストレチクルが不安定なウエハまたは欠陥ウエハになる可能性があるかを決定する。【選択図】図１
2020166282.tif 000002
【特許請求の範囲】
【請求項１】
フォトリソグラフィのレチクルを評価する方法であって、
光学的レチクル検査ツールを用いて、較正レチクルの複数のパターンエリアの各々から異なるイメージング構成で複数の画像を取得するステップと、
前記較正レチクルの各パターンエリアから取得した前記画像に基づいて前記較正レチクルの前記パターンエリアごとのレチクルの近距離場を再現するステップと、
前記較正レチクルについて再現された前記レチクルの近距離場を用いて、前記レチクルの近距離場に基づいて複数のウエハ画像をシミュレートするためのリソグラフィモデルを生成するステップと、
光学的レチクル検査ツールを用いて、テストレチクルの複数のパターンエリアの各々から異なるイメージング構成で複数の画像を取得するステップと、
前記テストレチクルの各パターンエリアから取得した前記画像に基づいて前記テストレチクルの前記パターンエリアごとにレチクルの近距離場を再現するステップと、
生成された前記モデルを前記テストレチクルについての前記レチクルの近距離場に適用して、複数のテストウエハ画像をシミュレートするステップと、
シミュレートされた前記テストウエハ画像を解析して、前記テストレチクルが不安定なウエハまたは欠陥ウエハになる可能性があるかを決定するステップと
を含むことを特徴とする方法。
【請求項２】
請求項１に記載の方法であって、前記レチクルの近距離場は、前記レチクルの近距離場を決定するために準ニュートン法または共役勾配法を用いて再現されることを特徴とする方法。
【請求項３】
請求項１に記載の方法であって、前記レチクルの近距離場は、取得した前記画像と前記レチクルの近距離場から計算される複数の画像との間の複数の自乗差の合計を最小にする回帰技法によって再現されることを特徴とする方法。
【請求項４】
請求項１に記載の方法であって、前記レチクルの近距離場は、ホプキンス近似を用いて再現されることを特徴とする方法。
【請求項５】
請求項１に記載の方法であって、前記レチクルの近距離場は、前記レチクルを製造するのに使用された設計データベースを用いることなく再現されることを特徴とする方法。
【請求項６】
請求項１に記載の方法であって、取得した前記画像は、同じレチクルの近距離場になるように選択される異なるイメージング条件で取得される少なくとも３つの画像を含むことを特徴とする方法。
【請求項７】
請求項６に記載の方法であって、異なるプロセス条件は、コレクションビームの異なる部分をぼんやりさせるために、異なる焦点設定、異なる照明方向もしくは照明パターン、照明瞳の全体もしくは様々な照明瞳の部分についての異なる直線偏光、および／または異なるアポダイゼイション設定を含むことを特徴とする方法。
【請求項８】
請求項１に記載の方法であって、前記リソグラフィモデルは、特定のフォトレジスト材料の影響を含めてフォトリソグラフィプロセスをシミュレートすることを特徴とする方法。
【請求項９】
請求項１に記載の方法であって、前記リソグラフィモデルは、前記モデルに由来する複数のウエハ画像と前記較正レチクルを用いて製造されたウエハの複数の参照画像とを比較し、取得した前記画像と前記参照画像の間の差が最小にされるまで前記モデルの複数のモデルパラメータを調整することによって生成されることを特徴とする方法。
【請求項１０】
請求項１に記載の方法であって、前記較正レチクルは、光近接効果補正モデルを較正するためにも用いられることを特徴とする方法。
【請求項１１】
請求項１に記載の方法であって、前記モデルは、複数の異なるリソグラフィプロセス条件下で前記テストレチクルの近距離場に適用され、シミュレートされた前記テストウエハ画像を解析するステップは、異なるプロセス条件を有するとともに同じレチクルエリアに関連しているシミュレートされた前記テスト画像同士を比較することによって、前記テストレチクルが前記異なるリソグラフィプロセス条件下で不安定なウエハになる可能性があるかを決定するステップを含むことを特徴とする方法。
【請求項１２】
請求項１１に記載の方法であって、前記テストレチクルは、シミュレートされた前記テスト画像同士の比較が予め定められた閾値を上回る差になるときに不安定であると決定されることを特徴とする方法。
【請求項１３】
請求項１２に記載の方法であって、異なるレチクルエリアは、異なる予め定められた閾値を有することを特徴とする方法。
【請求項１４】
請求項１に記載の方法であって、前記テストレチクルが不安定なウエハまたは欠陥ウエハになる可能性があるという決定に基づいて、前記テストレチクルを修理するステップ、前記テストレチクルを廃棄するステップ、またはそのようなテストレチクルを用いて製造されるウエハの特定のエリアを監視するステップをさらに含むことを特徴とする方法。
【請求項１５】
請求項１に記載の方法であって、シミュレートされた前記テスト画像は、前記テストレチクルが不安定なウエハまたは欠陥ウエハになる可能性があるかを決定するために、シミュレートされた前記テスト画像と事前ＯＰＣの設計データベースから形成された複数の画像とを比較することによって解析されることを特徴とする方法。
【請求項１６】
フォトリソグラフィのレチクルを評価する検査システムであって、
入射ビームを生成する光源と、
前記入射ビームをレチクル上へ向ける照明光学系モジュールと、
前記レチクルの各パターンエリアからの出力ビームを少なくとも１つのセンサへ向ける集光光学モジュールと、
前記出力ビームを検出し、前記出力ビームに基づいて画像または信号を生成する少なくとも１つのセンサと、
以下の動作、すなわち、
較正レチクルの複数のパターンエリアの各々から異なるイメージング構成で複数の画像を取得させ、
前記較正レチクルの各パターンエリアから取得した前記画像に基づいて前記較正レチクルの前記パターンエリアごとのレチクルの近距離場を再現し、
前記較正レチクルについて再現された前記レチクルの近距離場を用いて、前記レチクルの近距離場に基づいて複数のウエハ画像をシミュレートするためのリソグラフィモデルを生成し、
テストレチクルの複数のパターンエリアの各々から異なるイメージング構成で複数の画像を取得させ、
前記テストレチクルの各パターンエリアから取得した前記画像に基づいて前記テストレチクルの前記パターンエリアごとにレチクルの近距離場を再現し、
生成された前記モデルを前記テストレチクルについての前記レチクルの近距離場に適用して、複数のテストウエハ画像をシミュレートし、
シミュレートされた前記テストウエハ画像を解析して、前記テストレチクルが不安定なウエハまたは欠陥ウエハになる可能性があるかを決定する
ことを実行するように構成されているコントローラと
を備えることを特徴とするシステム。
【請求項１７】
請求項１６に記載のシステムであって、前記レチクルの近距離場は、前記レチクルの近距離場を決定するために準ニュートン法または共役勾配法を用いて再現されることを特徴とするシステム。
【請求項１８】
請求項１６に記載のシステムであって、前記レチクルの近距離場は、取得した前記画像と前記レチクルの近距離場から計算される複数の画像との間の複数の自乗差の合計を最小にする回帰技法によって再現されることを特徴とするシステム。
【請求項１９】
請求項１６に記載のシステムであって、前記レチクルの近距離場は、ホプキンス位相近似を用いて再現されることを特徴とするシステム。
【請求項２０】
請求項１６に記載のシステムであって、前記レチクルの近距離場は、前記レチクルを製造するのに使用された設計データベースを用いることなく再現されることを特徴とするシステム。
【請求項２１】
請求項１６に記載のシステムであって、取得した前記画像は、同じレチクルの近距離場になるように選択される異なるイメージング条件で取得される少なくとも３つの画像を含むことを特徴とするシステム。
【請求項２２】
請求項２１に記載のシステムであって、異なるプロセス条件は、コレクションビームの異なる部分をぼんやりさせるために、異なる焦点設定、異なる照明方向もしくは照明パターン、照明瞳の全体もしくは様々な照明瞳の部分についての異なる直線偏光、および／または異なるアポダイゼイション設定を含むことを特徴とするシステム。
【請求項２３】
請求項１６に記載のシステムであって、前記リソグラフィモデルは、特定のフォトレジスト材料の前記影響を含めてフォトリソグラフィプロセスをシミュレートすることを特徴とするシステム。
【請求項２４】
請求項１６に記載のシステムであって、前記リソグラフィモデルは、前記モデルに由来する複数のウエハ画像と前記較正レチクルを用いて製造されたウエハの複数の参照画像とを比較し、取得した前記画像と前記参照画像の間の差が最小にされるまで前記モデルの複数のモデルパラメータを調整することによって生成されることを特徴とするシステム。
【請求項２５】
請求項１６に記載のシステムであって、前記較正レチクルは、光近接効果補正モデルを較正するためにも用いられることを特徴とするシステム。
【請求項２６】
請求項１６に記載のシステムであって、前記モデルは、複数の異なるリソグラフィプロセス条件下で前記テストレチクルの近距離場に適用され、シミュレートされた前記テストウエハ画像の解析は、異なるプロセス条件を有するとともに同じレチクルエリアに関連しているシミュレートされた前記テスト画像同士を比較することによって、前記テストレチクルが前記異なるリソグラフィプロセス条件下で不安定なウエハになる可能性があるかを決定することを含むことを特徴とするシステム。
【請求項２７】
請求項２６に記載のシステムであって、前記テストレチクルは、シミュレートされた前記テスト画像同士の比較が予め定められた閾値を上回る差になるときに不安定であると決定されることを特徴とするシステム。
【請求項２８】
請求項２７に記載のシステムであって、異なるレチクルエリアは、異なる予め定められた閾値を有することを特徴とするシステム。
【請求項２９】
請求項１６に記載のシステムであって、シミュレートされた前記テスト画像は、前記テストレチクルが不安定なウエハまたは欠陥ウエハになる可能性があるかを決定するために、シミュレートされた前記テスト画像と事前ＯＰＣの設計データベースから形成された複数の画像とを比較することによって解析されることを特徴とするシステム。
【発明の詳細な説明】
【技術分野】
【０００１】
本発明は、一般に、レチクル検査に関する。より詳細には、本発明は、パターン評価に関する。
【背景技術】
【０００２】
関連出願の相互参照
本出願は、２０１４年５月６日に出願した米国仮出願第６１／９８８，９０９号、および２０１４年９月２３日に出願した米国仮出願第６２／０５４，１８５号の優先権を主張するアブドゥラフマン  セズジナー（Ａｂｄｕｒｒａｈｍａｎ  Ｓｅｚｇｉｎｅｒ）らが２０１５年５月１日に出願した先の米国特許出願第１４／７０２，３３６号の優先権を主張するものであり、一部継続出願である。これらの出願は、あらゆる目的のために全体が参照により本明細書に組み込まれる。
【０００３】
一般に、半導体製造産業は、シリコンなどの基板上に層状に重ねられた、パターンの付いている半導体材料を用いて集積回路を製造する非常に複雑な技法を伴う。回路集積が大規模になり、半導体デバイスのサイズが減少しているために、製造されるデバイスは、欠陥に対してますます敏感になってきている。すなわち、デバイスの故障を引き起こす欠陥は、次第に小さくなっている。デバイスは、エンドユーザまたは取引先に出荷する前に故障がないものである。
【０００４】
典型的には、集積回路は、複数のレチクルから製造される。最初に、回路設計者は、レチクル生産システムまたはレチクルライタに、特定の集積回路（ＩＣ）設計を記述する回路パターンデータを与える。典型的には、回路パターンデータは、製造されるＩＣデバイスの物理的レイヤの表現レイアウトの形態である。この表現レイアウトは、ＩＣデバイス（例えば、ゲート酸化物、ポリシリコン、メタライゼーションなど）の物理的レイヤごとの表現レイヤを含み、各表現レイヤは、特定のＩＣデバイスのレイヤのパターニングを定める複数の多角形で構成される。レチクルライタは、回路パターンデータを使用して、特定のＩＣ設計を製造するために後で使用される複数のレチクルを書き込む（例えば、典型的には、電子ビームライタまたはレーザスキャナを使用してレチクルパターンを露光する）。
【０００５】
レチクルまたはフォトマスクは、少なくとも透明領域および不透明領域、さらに場合によっては半透明領域および位相シフト領域を含む光学要素であり、これらは共に、集積回路などの電子ＩＣデバイスにおける同一平面上の特徴のパターンを定める。レチクルは、フォトリソグラフィ中に、エッチングプロセス、イオン注入プロセス、または他の製造プロセスのために半導体ウエハの特定の領域を定めるのに使用される。
【先行技術文献】
【特許文献】
【０００６】
【特許文献１】米国特許出願公開第２０１１／０２７６９３５号
【発明の概要】
【発明が解決しようとする課題】
【０００７】
各レチクルまたは一群のレチクルの製造後、典型的には、新しい各レチクルは、ウエハ製造に使用するために評価される。例えば、レチクルパターンは、転写性のある欠陥がないことが必要である。したがって、改良されたレチクル検査および評価技法が継続的に必要とされている。
【課題を解決するための手段】
【０００８】
以下のものは、本発明のいくつかの実施形態の基本的理解をもたらすために本開示の簡単な概要を説明する。この概要は、本開示の包括的な概観ではなく、本発明の重要な／不可欠の要素を特定するものでも、本発明の範囲を画定するものでもない。その唯一の目的は、本明細書中に開示したいくらかの概念を、後で示されるより詳細な説明への導入部として簡単な形態で提示することである。
【０００９】
一実施形態では、フォトリソグラフィのレチクルを評価する方法が開示される。光学的レチクル検査ツールを使用して、較正レチクルの複数のパターンエリアの各々から異なるイメージング構成で画像を取得する。較正レチクルのパターンエリアごとのレチクルの近距離場は、較正レチクルの各パターンエリアから取得した画像に基づいて再現される。再現された較正レチクルについてのレチクルの近距離場を使用して、レチクルの近距離場に基づいてウエハ画像をシミュレートするためのリソグラフィモデルを生成する。光学的レチクル検査ツールも、テストレチクルの複数のパターンエリアの各々から異なるイメージング構成で画像を取得するために使用される。テストレチクルのパターンエリアごとのレチクルの近距離場は、テストレチクルの各パターンエリアから取得した画像に基づいて再現される。次いで、生成されたモデルをテストレチクルについてのレチクルの近距離場に適用して、テストウエハ画像をシミュレートする。次いで、シミュレートされたテストウエハ画像を解析して、テストレチクルが不安定なウエハまたは欠陥ウエハになる可能性があるかを決定することができる。
【００１０】
特定の実施では、レチクルの近距離場は、レチクルの近距離場を決定するために準ニュートン法または共役勾配法を用いて再現される。別の態様では、レチクルの近距離場は、取得した画像とレチクルの近距離場から計算される画像の間の複数の自乗差の合計を最小にする回帰技法によって再現される。別の実施形態では、レチクルの近距離場は、ホプキンス近似を用いて再現される。別の例では、レチクルの近距離場は、レチクルを製造するのに使用された設計データベースを用いることなく再現される。一態様では、取得した画像は、同じレチクルの近距離場になるように選択される異なるイメージング条件で取得される少なくとも３つの画像を含む。さらなる態様では、異なるプロセス条件は、コレクションビームの異なる部分をぼんやりさせるために、異なる焦点設定、異なる照明方向もしくは照明パターン、照明瞳の全体もしくは様々な照明瞳の部分についての異なる直線偏光、および／または異なるアポダイゼイション設定を含む。
【００１１】
別の実施形態では、リソグラフィモデルは、特定のフォトレジスト材料の影響を含めてフォトリソグラフィプロセスをシミュレートする。一態様では、リソグラフィモデルは、モデルに由来するウエハ画像と較正レチクルを用いて製造されたウエハの参照画像とを比較し、取得した画像と参照画像の間の差が最小にされるまでモデルのモデルパラメータを調整することによって生成される。別の態様では、較正レチクルは、光近接効果補正（ＯＰＣ）モデルを較正するためにも用いられる。特定の実施では、モデルは、異なるリソグラフィプロセス条件下でテストレチクルの近距離場に適用される。この態様では、シミュレートされたテストウエハ画像の解析は、異なるプロセス条件を有するとともに同じレチクルエリアに関連しているシミュレートされたテスト画像同士を比較することによってテストレチクルが異なるリソグラフィプロセス条件下で不安定なウエハになる可能性があるかを決定することを含む。さらなる態様では、テストレチクルは、シミュレートされたテスト画像同士の比較が予め定められた閾値を上回る差になるときに不安定であると決定される。またさらなる態様では、異なるレチクルエリアは、異なる予め定められた閾値を有する。
【００１２】
さらなる応用では、上記方法は、テストレチクルが不安定なウエハまたは欠陥ウエハになる可能性があるという決定に基づいて、テストレチクルを修理するステップ、テストレチクルを廃棄するステップ、またはそのようなテストレチクルを用いて製造されるウエハの特定のエリアを監視するステップを含む。別の態様では、シミュレートされたテスト画像は、テストレチクルが不安定なウエハまたは欠陥ウエハになる可能性があるかを決定するために、シミュレートされたテスト画像と事前ＯＰＣの設計データベースから形成された画像とを比較することによって解析される。
【００１３】
代替実施形態では、本発明は、フォトリソグラフィのレチクルを評価する検査システムに関係する。このシステムは、入射ビームを生成する光源と、入射ビームをレチクル上へ向ける照明光学系モジュールとを備える。このシステムは、レチクルの各パターンエリアからの出力ビームを少なくとも１つのセンサへ向ける集光光学モジュールと、出力ビームを検出し、出力ビームに基づいて画像または信号を生成する少なくとも１つのセンサとをさらに備える。システムは、以下の動作、すなわち、（ｉ）較正レチクルの複数のパターンエリアの各々から異なるイメージング構成で複数の画像を取得させ、（ｉｉ）較正レチクルの各パターンエリアから取得した画像に基づいて較正レチクルのパターンエリアごとのレチクルの近距離場を再現し、（ｉｉｉ）較正レチクルについて再現されたレチクルの近距離場を用いて、レチクルの近距離場に基づいて複数のウエハ画像をシミュレートするためのリソグラフィモデルを生成し、（ｉｖ）テストレチクルの複数のパターンエリアの各々から異なるイメージング構成で複数の画像を取得させ、（ｖ）テストレチクルの各パターンエリアから取得した画像に基づいてテストレチクルのパターンエリアごとにレチクルの近距離場を再現し、（ｖｉ）生成されたモデルをテストレチクルについてのレチクルの近距離場に適用して、複数のテストウエハ画像をシミュレートし、（ｖｉｉ）シミュレートされたテストウエハ画像を解析して、テストレチクルが不安定なウエハまたは欠陥ウエハになる可能性があるかを決定することを実行するように構成されているコントローラをさらに備える。コントローラおよびシステムはさらに、上記方法のいずれかを行うように構成することもできる。
【００１４】
本発明のこれらおよび他の態様は、図を参照することにより以下に説明される。
【図面の簡単な説明】
【００１５】
【図１】本発明の一実施形態によるモデル較正手順を示す流れ図である。
【図２Ａ】本発明の一実施形態によるレチクル評価プロセスを表す流れ図である。
【図２Ｂ】本発明の一実施形態によるレチクル評価プロセスを表す流れ図である。
【図３Ａ】本発明の一応用例によるレチクルパターンの安定性を決定するプロセスを示す流れ図である。
【図３Ｂ】本発明の代替実施形態による欠陥検査手順を示す流れ図である。
【図４】本発明の技法を実施することができる検査システムの一例の概略図である。
【図５Ａ】いくつかの実施形態によるフォトマスクからウエハへマスクパターンを転写するリソグラフィシステムの簡略化した概略図である。
【図５Ｂ】いくつかの実施形態によるフォトマスク検査装置の概略図である。
【発明を実施するための形態】
【００１６】
以下の記載には、本発明に対する徹底的な理解を可能にするために、具体的な詳細が多数記載されている。本発明は、これらの特定の詳細の一部またはその全部なしで実施することができる。他の例では、本発明を不必要にあいまいにさせないように、よく知られているプロセスの動作または装置の構成要素は、詳細には説明されていない。本発明は特定の実施形態との関連で説明されるが、本発明をこれらの実施形態に限定することは意図されていないことが理解されよう。
【００１７】
用語「レチクル」、「マスク」、および「フォトマスク」は、本明細書中では交換可能に使用されており、一般的に、各々には、ガラス、ホウケイ酸ガラス、石英、または溶融シリカなどの透明基板であって、不透明材料のレイヤをその表面に形成した透明基板が包含され得る。不透明な（または実質的に不透明な）材料には、フォトリソグラフィ光（例えば遠紫外光）を完全にまたは部分的に遮断する任意の適切な材料が含まれ得る。材料の例には、クロム、ケイ化モリブデン（ＭｏＳｉ）、ケイ化タンタル、ケイ化タングステン、ガラス上の不透明なＭｏＳｉ（ＯＭＯＧ）等が含まれる。接着性を改善するために、不透明な層と透明基板との間にポリシリコン膜が加えられてもよい。不透明材料の上に、酸化モリブデン（ＭｏＯ２）、酸化タングステン（ＷＯ２）、酸化チタン（ＴｉＯ２）、または酸化クロム（ＣｒＯ２）などの低反射膜が形成されてもよい。
【００１８】
レチクルという用語は、限定するものではないが、クリアフィールドレチクル、ダークフィールドレチクル、バイナリレチクル、位相シフトマスク（ＰＳＭ：ｐｈａｓｅ  ｓｈｉｆｔ  ｍａｓｋ）、交互ＰＳＭ、減衰型またはハーフトーン型ＰＳＭ、ターナリ減衰型ＰＳＭ、クロムレス位相リソグラフィＰＳＭ、およびクロムレス位相リソグラフィ（ＣＰＬ：ｃｈｒｏｍｅｌｅｓｓ  ｐｈａｓｅ  ｌｉｔｈｏｇｒａｐｈｙ）を含む様々な種類のレチクルを指す。クリアフィールドレチクルは、透明なフィールドエリアまたはバックグラウンドエリアを有し、ダークフィールドレチクルは、不透明なフィールドエリアまたはバックグラウンドエリアを有する。バイナリレチクルは、透明または不透明であるパターンの付いたエリアを有するレチクルである。例えば、クロム金属を吸着する膜によって規定されるパターンを有する透明な溶融シリカのブランクから作製されたフォトマスクを使用することができる。バイナリレチクルは、位相シフトマスク（ＰＳＭ）とは異なり、その一種は、光を一部だけ透過させる膜が含み得、これらのレチクルは、一般に、ＡｒＦマスクおよびＫｒＦマスクなどのハーフトーン型位相シフトマスクまたは埋め込み型位相シフトマスク（ＥＰＳＭ：ｅｍｂｅｄｄｅｄ  ｐｈａｓｅ−ｓｈｉｆｔ  ｍａｓｋ）と呼ばれることがある。位相シフト材料が、レチクルの交互のクリアなスペース上に配置される場合、レチクルは、交互ＰＳＭ、ＡＬＴ  ＰＳＭ、またはレベンソン型ＰＳＭと呼ばれる。任意のレイアウトパターンに適用される位相シフト材料の種類の１つは、減衰型ＰＳＭまたはハーフトーンＰＳＭと呼ばれ、これは不透明材料を部分的に透過膜、または「ハーフトーン」膜に置換することによって製造することができる。ターナリ減衰型ＰＳＭは、完全に不透明なフィーチャも含む減衰型ＰＳＭである。
【００１９】
そのようなマスクを用いてウエハを製造する前に、または製造施設へマスクを出荷する前に、各マスクの欠陥を検出することは有益である。本発明の一実施形態は、検査ツールから得られるそのようなレチクルの画像を用いてウエハレベルの挙動を予測することによってマスクを評価する技法を含む。まず、ウエハレベルの挙動を予測するモデルは、較正レチクルなどのレチクルからのレチクル画像から生成され、次いで、そのようなモデルは、同じまたは他のレチクルのレチクル画像に基づいてウエハレベルにおける欠陥検出に使用することができる。
【００２０】
較正の実施形態：
本発明のいくつかの実施形態は、較正マスクから再現されるマスクの近距離場（近接場）に基づいてリソグラフィモデルを較正する技法を提供し、この較正されたモデルは、後で、モデル使用の実施形態に関してさらに後述される欠陥検出または他の目的の間に使用することができる。そのような較正プロセスは、設計データベースに基づいている較正プロセスなどの他の技法と比較してより正確なリソグラフィモデルになる。設計データベースの手法は、設計データベース中の幾何学的形状が製造されるマスク上のパターンを正確に表すと仮定するが、典型的には、これは事実と異なる。他の較正技法は、製造されるマスクのパターンおよび材料は予め選択された３次元プロファイルおよび１セットの材料特性の説明によって正確に表すことができるという仮定を行う。対照的に、本明細書中に記載されるようないくつかの較正の実施形態は、リソグラフィモデルを正確に較正するように実際のレチクルから再現されるマスクの近距離場を利用することによってこれらのモデリングの不完全性を回避する。
【００２１】
図１は、本発明の一実施形態によるモデル較正手順１００を示す流れ図である。特定のレチクルまたは１セットのレチクルについての以下の較正プロセス１００は、そのようなレチクルを用いて何らかのウエハを製造する前に、または大量のウエハの製造の開始前に実行することができる。
【００２２】
動作１０２において、最初、較正マスクの少なくとも３つの画像が、マスク検査ツールを用いて異なるイメージング構成で取得される。代替として、２つの画像が使用されてもよいが、３つの画像の使用がよく機能することが分かっている。本明細書中に記載されているいくつかの実施形態では、この較正プロセスの結果は、最終的に、レチクル画像に基づく他のレチクルについての欠陥検出に使用することができる。したがって、較正レチクルの画像は、他のレチクルの検査に使用されるレチクル検査システムの検出器、または同様に構成されたレチクル検査システム（例えば、検査に使用されるレチクル検査システムと同じ型およびモデルの異なるレチクル検査システム）の同様に構成された検出器を用いて取得されることが好ましい。言い換えれば、較正に使用することができる画像は、検査に使用されるのと同じ光学的条件の下で取得されるのが好ましい。このようにして、レチクルと照明用の電磁波の相互作用は、できる限り直接的に測定することができる。
【００２３】
較正レチクルは、欠陥検出のために検査されるまたは計量目的のために測定されるレチクルとほぼ同様である特徴を有するべきである。例えば、較正レチクルおよびテストレチクルは、ほぼ同じ厚さおよび組成を有するほぼ同じ材料から製造されることが好ましい。加えて、２つのレチクルは、同じプロセスを用いて形成されているとよい。２つのレチクルは、レチクル上のパターンがほぼ同じ（例えば、線が同様の幅を有する等）であるセグメントに分けることができる限り、必ずしも同じパターンがその上に印刷されていなくてもよい。加えて、検査されるレチクルおよび画像を取得するために使用されるレチクルは、全く同一のレチクルとすることができる。
【００２４】
次いで、動作１０４において、３つ以上の画像を互いに位置合わせすることができ、または各画像を、事後ＯＰＣのデータベースに対して位置合わせすることができる。例えば、取得した画像は、空間領域または周波数領域の方法によって位置合わせすることができる。位置合わせの調整は、使用される検査システムの特定の幾何学的形状に依存し得る。異なる画像が異なる収集経路を用いて得られる場合、画像の一部調整は、光路の差を補償するように行われ得る。
【００２５】
リソグラフィおよび検査では、様々なパターンを有するレチクルは、多くの方向から入射する電磁（ＥＭ）波によって照明される。この入射光は、様々に互いに干渉する異なる電磁場の位相でマスクパターンの様々な点から回折させられる。レチクルの近距離場は、レチクルから数波長の近距離にある電磁場である。
【００２６】
集光光学系は、一般に、画像を形成するために、レチクルから検出器（またはウエハ）の方へ回折が制限された部分の光を向ける。検出器は、マスクの近距離場による干渉の結果である強度を検出するが、位相を検出しない。
【００２７】
遠距離場の強度が検出された信号に得られるが、振幅および位相を含むマスクの近距離場を再現することが望ましい。例示の実施形態では、動作１０６に示されるように、マスクの近距離場は、そのような取得した較正マスク画像に基づいて再現され、記憶される。複数の画像（または信号）は、一般に、位相成分と振幅成分の両方を含むマスクの近距離場を再現するのに使用される。近距離場のデータは、レチクルから取得される画像に基づいて回帰技法によって決定することができる。例えば、レチクルの選択部分の近距離場は、検出器平面で記録される画像のその取得した光学的な画像または強度から準ニュートン法または共役勾配法を用いて再現する（回帰する）ことができる。加えて、任意の他の適切な回帰方法および／またはアルゴリズムが、１つまたは複数の実際の画像から近距離場のデータを決定するのに使用されてもよい。
【００２８】
特に、その強度の画像からレチクルの近距離場を再現することは、逆問題または回帰問題である。近距離場は、コスト関数（例えば、エネルギーまたはペナルティ関数）を最小にすることによって繰り返し再現することができる。最小化されるペナルティは、取得した画像とマスクの近距離場から計算される検出器での強度の画像の間の自乗差の合計であり得る。言い換えれば、強度の画像は、光学系の特性の様々なセットについて最終的なマスクの近距離場から計算することができ、これらの計算された画像は、マスクの近距離場が見出されるとき、取得した画像に最もぴったり適合する。マスクの近距離場を再現する方法論に関するさらなる詳細については米国特許出願第１４／７０２，３３６号を参照されたい。
【００２９】
様々な光学的条件下で複数の画像が取得される場合には、再現された近距離場のマスクｍは、位相および振幅の情報を運ぶものであり、以下の式によって決定することができる。
【００３０】
【数１】
2020166282.tif 000003
【００３１】
上記の式において、Ｉαは、イメージング条件αについて測定された画像であり、
【数２】
2020166282.tif 000004
は、検査イメージングシステムを記述する１セットの固有ベクトルであり、
【数３】
2020166282.tif 000005
は、イメージングシステムについての１セットの対応する固有値であり、ｃαは、０から１の間の非負の重み係数である。上記の式は、例えば、準ニュートンまたは共役勾配などの方法によって繰り返し解くことができる。
【００３２】
照明構成および／または集光構成の様々な適切な組み合わせを利用することができる。一般に、様々なイメージング構成が、マスクの近距離場を計算することができる画像を与えるように選択される。任意の適切なイメージングまたは光学構成が、マスクの近距離場が様々な動作条件の下で同じままであるように選択され得る。例には、コレクションビーム等の異なる部分をぼんやりさせるために、異なる焦点設定、異なる照明方向もしくは照明パターン、照明瞳の全体または様々な照明瞳の部分についての異なる直線偏光、異なるアポダイゼイション設定が含まれる。例えば、照明瞳の異なる四分円は、異なる偏光設定を有することができる。別の例では、イメージング構成は、異なる瞳の形状および／または異なる焦点条件を用いた透過画像などの高解像度の画像を含むことができる（例えば、ＡｒＦマスクの場合）。別の実施形態では、異なる瞳の形状および／または異なる焦点条件を用いた３つ以上の反射画像を得ることができる（例えば、ＥＵＶマスクの場合）。
【００３３】
レチクルは、比較的低いＮＡ（例えば、０．５未満）を用いてイメージングすることができる。対照的に、「実質的に高解像度の画像」は、一般に、レチクル上にプリントされた特徴が（画像を生成するのに使用されるレチクル検査システムの光学的限界内で）それらがレチクル上に形成されているものとして実質的に現れるレチクルの画像を指す。例えば、レチクルの「実質的に高解像度の画像」は、実質的に高解像度のレチクル検査システム（例えば、０．８よりも大きい開口数（ＮＡ））を用いてレチクル平面で物理的なレチクルをイメージングすることによって生成される画像である。対照的に、レチクルの画像を生成するのに使用される「実質的に低いＮＡ」は、０．５未満であるＮＡであり得る。加えて、レチクルの画像を生成するのに使用される「実質的に低いＮＡ」は、レチクルの画像をウエハ上へ投影するために露光システムによって使用されるレチクル側のＮＡとほぼ同じとすることができ、それによってレチクル上の特徴をウエハ上へ転写する。したがって、実質的に低いＮＡの画像（またＬＮＩ）では、レチクルの特徴は、実際のレチクルの特徴とはかなり異なる外観を有し得る。例えば、レチクルの特徴は、特徴のＬＮＩにおいて、レチクル上に形成されている実際の特徴よりも丸い角を有するように現れ得る。
【００３４】
異なるイメージング構成を用いた取得は、同時または連続的であってもよい。取得した画像は、場の平面にある必要はない。２つ以上の画像が、瞳平面で取得されてもよい。一例は、場の平面の画像と瞳平面の回折次数の組み合わせが対象の振幅と位相の両方を解くのに利用され得るＧｅｒｃｈｂｅｒｇ−Ｓａｘｔｏｎアルゴリズムである。
【００３５】
一実施形態では、マスクの近距離場は、ホプキンス近似によって取得した画像に基づいて決定することができる。別の実施形態では、回帰は薄いマスクの近似（ｔｈｉｎ−ｍａｓｋ  ａｐｐｒｏｘｉｍａｔｉｏｎ）を含まない。例えば、レチクルの近距離場は、垂直に入射する平面波によってレチクルが照明されるときにレチクルの表面近くに存在するように計算される電磁場である。リソグラフィおよび検査では、レチクルは、多くの方向から入射する平面波によって照明される。入射の方向が変わるとき、ホプキンス近似によれば、回折次数の方向は変わるが、それらの振幅および位相はほぼ変わらないままである。本明細書中に記載された実施形態は、ホプキンスの位相近似を使用することができるが、いわゆる薄いマスクまたはキルヒホッフの近似を行わない。
【００３６】
実際のマスクは、マスク書き込みプロセスにより意図した設計パターンから変わり得る。マスクの画像から近距離場のマスクを得ることは、そのような近距離場のマスクが、設計データベースではなく、実際の物理的なマスクから得られることを意味する。すなわち、マスクの近距離場は、設計データベースを用いることなく再現することができる。
【００３７】
近距離場のマスクが再現されると、それは、任意の個数の応用に使用することができる。欠陥検出の場合、ウエハ上のレチクル欠陥の転写性が重要であり、レチクル欠陥の転写性は、レチクル近距離場およびリソグラフィシステムに直接依存する。興味深い留意点として、より高いＮＡの結果としてのマスクの電磁場のベクトルの干渉は、より高いＮＡについてより広い範囲の光の入射角および関連した干渉する電場成分により、（低いＮＡの検査システムよりも）大きくなる。
【００３８】
一実施形態では、レチクル評価は、再現されたマスクの近距離場が、シミュレートされたウエハの製造条件の下でウエハのパターンの欠陥になる可能性があるかを推定することによって行われる。例示の手順では、動作１０８において、フォトリソグラフィプロセスおよびフォトレジストは、近距離場のマスクに関して最初の１セットのモデルパラメータを用いてモデル化することができる。モデルは、フォトリソグラフィスキャナの影響だけを含むことができ、および／またはモデルは、レジスト、エッチング、ＣＭＰ、または任意の他のウエハプロセスの影響も含むことができる。プロセスをシミュレートするツールの一例は、カリフォルニア州ミルピタス（Ｍｉｌｐｉｔａｓ）のＫＬＡ−Ｔｅｎｃｏｒ  Ｃｏｒｐから入手可能なＰｒｏｌｉｔｈである。
【００３９】
モデルのための入力およびそのモデルパラメータは、１セットのプロセス条件を含む。すなわち、このモデルは、再構築された近距離場のマスクに関する様々なセットのプロセス条件をシミュレートするように構成されている。それぞれの１セットのプロセス条件は、一般に、マスクからウエハパターンを形成するためのウエハプロセスを特徴付けるか、または一部を特徴付ける１セットのウエハ製造のプロセスパラメータに対応する。例えば、焦点および露光の特定の設定をモデルに入力することができる。様々なセットのプロセス条件を有するそのようなモデルの使用は、異なる処理条件下で再構築された近距離場のマスクによって形成された１セットのシミュレートされたウエハまたはレジストパターンの画像になり得るとともに、これらのシミュレートされたウエハ画像は、本明細書中にさらに説明されるように欠陥検出に使用することができる。
【００４０】
較正レチクルも、較正ウエハを製造するのに使用され、動作１１６において、そこから実際の画像が得られる。一例では、実際の画像は、測長（ＣＤ：ｃｒｉｔｉｃａｌ  ｄｉｍｅｎｓｉｏｎ）走査型電子顕微鏡（ＳＥＭ）を用いて取得される。他のイメージングツールが利用されてもよいが、高分解能のツールが好ましい。
【００４１】
概して、較正ウエハは、任意の個数の構造を含み、この構造は、幅広く変わり得る。この構造は、典型的には周期的である格子の形態であり得る。各格子は、例えば、ライン空間の格子として一方向（ＸまたはＹ）に周期的とすることができ、または各格子は、例えば、グリッド空間の格子として二方向（ＸおよびＹ）に周期的であり得る。グリッド空間の格子の例は、Ｙ方向にラインのアレイを含みことができ、各ラインは、Ｘ方向に区分されている。別のグリッド空間の例は、ドット構造のアレイである。すなわち、各構造は、ライン空間の格子、グリッド空間の格子、チェッカ盤のパターン構造等の形態をとることができる。構造の設計特徴には、それぞれ、ライン幅（特定の高さでの幅）、ライン空間の幅、ライン長さ、形状、側壁角度、高さ、ピッチ、格子の向き、上部プロファイル（上部丸みまたはＴトッピングの程度）、下部プロファイル（フッティング（ｆｏｏｔｉｎｇ））等が含まれ得る。較正ウエハは、これらの特徴の特性の様々な組み合わせを有する構造を含むことができる。恐らく理解されるように、異なる構造の特性（異なる幅、間隔、形状、ピッチ等など）は、合焦に異なる応答を示し、したがって好ましくは、較正マスクは、異なる特性を有する異なる構造を含む。
【００４２】
代替実施形態では、較正ウエハは、異なる処理条件を受けた異なる測定箇所を有する「実験計画（ＤＯＥ：Ｄｅｓｉｇｎ  ｏｆ  Ｅｘｐｅｒｉｍｅｎｔｓ）」ウエハの形態をとることができる。より一般的な実施形態では、プロセスパラメータの変動は、（ＤＯＥウエハと呼ばれる）半導体ウエハの表面上であるパターンに組織化される。このようにして、測定箇所は、様々な関連したプロセスパラメータ値を有するウエハ表面上の様々な位置に対応する。一例では、ＤＯＥパターンは、焦点／露光のマトリックス（ＦＥＭ：  Ｆｏｃｕｓ／Ｅｘｐｏｓｕｒｅ  Ｍａｔｒｉｘ）のパターンである。典型的には、ＦＥＭパターンを示すＤＯＥウエハは、グリッドパターンの測定箇所を含む。１つのグリッド方向（例えば、ｘ方向）において、露光量は、焦点の深さが一定に保持される間に変化させられる。直交したグリッド方向（例えば、ｙ方向）において、焦点の深さは、露光量が一定に保持される間に変化させられる。このようにして、ＦＥＭウエハから収集された測定データは、焦点および照射量のプロセスパラメータの知られている変動に関連したデータを含む。
【００４３】
ＦＥＭ測定箇所は、一般に、焦点露光のマトリックスウエハ（ｆｏｃｕｓ  ｅｘｐｏｓｕｒｅ  ｍａｔｒｉｘ  ｗａｆｅｒ）全体にわたって設けられている。実際には、一般に、場ごとに１つまたは複数の測定箇所が存在し得る。各場は、焦点と露光の様々な組み合わせを用いて形成することができる（または焦点もしくは露光だけであってもよい）。例えば、第１の場は、第１の組み合わせを用いて発生させることができ、第２の場は、第１の組み合わせとは異なる第２の組み合わせを用いて発生させることができる。複数の組み合わせは、変化する焦点と変化する露光、変化する焦点と一定の露光、一定の焦点と変化する露光、などを用いて発生させることができる。
【００４４】
測定箇所の個数も異なってもよい。場あたりの箇所の個数は、一般に、製品ウエハ上のリアルエステート（ｒｅａｌ  ｅｓｔａｔｅ）がとても価値があるので、製品ウエハ上ではより少ない。また、生産時の時間的制約により、ＦＥＭウエハ上よりも製品ウエハ上でより少ない測定が行われる。一実施形態では、場ごとに単一の箇所が測定される。別の実施形態では、場ごとに複数の箇所が測定される。
【００４５】
大部分のＦＥＭの場合には、測定箇所の構造は、異なる処理パラメータを用いて同様に設計されたパターンから形成される。しかしながら、異なる焦点露光のマトリックスは、異なる構造を有し得ることに留意されたい。例えば、第１のマトリックスは、第１の格子タイプを用いて実行することができ、第２のマトリックスは、第１の格子タイプとは異なる第２の格子タイプを用いて実行することができる。
【００４６】
一般に、任意の１セットのプロセスパラメータ、構造パラメータ、または両方の知られている変動に関連した光信号データが考えられる。形態にかかわらず、較正ウエハの構造は、様々な異なるウエハの層にプリントされ得る。詳細には、プリントされた構造は、概して、標準的なリソグラフィプロセスを用いて（例えば、レチクルを通じてフォトレジストがコーティングされたシリコンウエハ上へ回路イメージを投影して）フォトレジストの層にプリントされる。ウエハは、テストプロセスにおけるそのステップで製品ウエハに典型的に存在する材料に対応する材料の層を有する較正ウエハであり得る。プリントされた構造は、下に横たわる層内の他の構造の上にプリントすることができる。較正ウエハは、ワーキングデバイス（ｗｏｒｋｉｎｇ  ｄｅｖｉｃｅ）をもたらす潜在性を有する製品ウエハであり得る。較正ウエハは、モデルを較正するためだけに使用される単純なウエハであり得る。較正ウエハは、ＯＰＣ設計モデルを較正するのに使用される同じウエハであり得る。２つ以上の較正ウエハが、リソグラフィモデルを較正するのに使用されてもよい。複数の較正ウエハを用いるとき、同じ較正レチクルが使用されても、異なる較正レチクルが使用されてもよい。異なる較正レチクルは、より幅広い範囲の画像データを生成するように異なる寸法を有するパターンを有することができる。
【００４７】
較正の構造を形成するのに使用されるプロセスパラメータは、一般に、所望の仕様内に較正の構造の特性を保つように設定されている。較正の構造は、較正手順の一部として較正ウエハ上にプリントすることができ、または較正の構造は、生産中に製品ウエハ上にプリントすることができる。生産中、典型的には、較正の構造は、製品ウエハに配設されたデバイスエリア同士（例えば、ＩＣを画定するダイ同士）間にラインを刻み付ける際にプリントされる。測定箇所は、デバイス構造のまわりに配設された専用の較正の構造であり得、または測定箇所は、デバイス構造（例えば、周期的な部分）の一部であり得る。恐らく理解されるように、デバイス構造の一部を使用することは、より困難であり得るが、それはデバイス構造の一部であるので、それはより正確となる傾向となる。別の実施形態では、較正の構造は、較正ウエハ全体にわたってプリントすることができる。
【００４８】
図１に戻ると、動作１１０において、対応するモデル化された画像および較正の画像が比較され得る。次いで、モデルパラメータが動作１１２において調整されるべきか決定することができる。モデルパラメータが調整されるべき場合、動作１１４において、モデルパラメータが調整され、手順１００によって、調整されたパラメータを用いてリソグラフィプロセス（およびレジスト）をモデル化するために動作１０８を繰り返す。モデルパラメータは、モデルと較正の画像の間の差が予め定められた閾値未満でもある最小値に到達するまで調整することができる。最小化される量は、取得した較正の画像とシミュレートされた画像の間の自乗差の合計とすることができる。このプロセス１００の出力は、リソグラフィ／レジストのモデルおよびその最終的なモデルパラメータである。この１セットのモデルパラメータは、マスクの近距離場を用いることの本質によって、マスクのプロセスモデリングおよびマスクの３Ｄトポグラフィモデルリングに関連した技術的ハードルを克服する。
【００４９】
モデル使用の実施形態：
特定のプロセスのための最終的な較正済みのリソグラフィ／レジストのモデルが得られた後、そのようなモデルは、そのようなマスクを用いてウエハを製造する前に（例えば、現像後またはエッチング後に）マスクから正確なウエハ平面のレジスト画像を生成するのに使用することができる。これらのレジスト画像は、高い忠実度でおよび異なる焦点および露光の設定によって任意の検査パターンについてウエハ画像を人が査定することを可能にする。この評価プロセスはウエハ製造前に行うことができるので、評価および欠陥検出のサイクルはかなり短縮することができる。
【００５０】
図２Ａおよび図２Ｂは、本発明の一実施形態によるレチクル評価プロセス２００を表す流れ図を示す。一般に、マスクの近距離場は、そのような特定のレチクルから取得された画像に基づいて、動作１０２、１０４、および１０６において、特定のレチクルについて得られる。これらの動作は、図１の同じ参照される動作と同様である。マスクの近距離場が得られた後、動作２０８において、リソグラフィプロセス（およびレジスト）は、計算された近距離のマスク場に関連した最終的なモデルパラメータを用いてモデル化することができる。例えば、較正ウエハを用いて較正されたモデルは、マスクの近距離場を用いてウエハ画像をモデル化するために使用される。
【００５１】
図２Ｂを参照すると、次いで、動作２２２において、レチクルが不安定なウエハパターンまたは欠陥ウエハパターンになる可能性があるか決定され得る。一実施形態では、モデルは、様々なプロセス条件下でレチクルの設計安定性を査定するために、焦点および照射量などの複数の異なるプロセス条件を用いてマスクの近距離場に単に適用することができる。図３Ａは、本発明の一応用例によるレチクルパターンの安定性を決定するためのプロセス３００を示す流れ図である。動作３０２において、最初、モデルによって生成される各テスト画像は、異なる１セットのプロセス条件下でシミュレートされた参照画像であって、１つまたは複数のウエハパターンの差を得るように同じウエハエリアに対応するその対応する参照画像と位置合わせすることができる。
【００５２】
動作３０４において、位置合わせされた画像の各ペアは、１つまたは複数のウエハパターンの差を得るために、互いに比較することができる。次いで、動作３０６において、閾値は、各ウエハパターンの差に関連付けることができる。閾値は、レチクルの様々なエリアに割り当てることができ、それによってウエハパターンに対応する。閾値は、全て同じであってもよく、あるいは構造タイプ、割り当てられたＭＥＥＦ（または以下にさらに説明されるようなマスクエラー増大因子（Ｍａｓｋ  Ｅｒｒｏｒ  Ｅｎｈａｎｃｅｍｅｎｔ  Ｆａｃｔｏｒ））レベル、またはホットスポットの特定等などの様々な要因に基づいて異なってもよい。例えば、異なる構造タイプは、異なる閾値を与えることができる。適宜、最初の１セットのホットスポットは、参照マスクパターンとテストマスクパターンの両方で特定され得る。例えば、設計者は、ホットスポットの座標のリストを用意することができる。例えば、ホットスポットとして定められたエリアは、１つの検出閾値を割り当てることができ、一方、非ホットスポットのエリアは、（欠陥検出のために）より高い閾値を割り当てることができる。この差別化は、検査リソースを最適化するために使用することができる。
【００５３】
集積回路（ＩＣ）の密度および複雑度は、増加し続けているので、フォトリソグラフィのマスクパターンの検査は、ますますより困難になっている。ＩＣの全ての新しい世代は、現在リソグラフィシステムの光学的限界に到達し超えるより密度が高くより複雑なパターンを有する。これらの光学的限界を克服するために、光近接効果補正（ＯＰＣ）などの様々な解像度を向上する技法（ＲＥＴ：Ｒｅｓｏｌｕｔｉｏｎ  Ｅｎｈａｎｃｅｍｅｎｔ  Ｔｅｃｈｎｉｑｕｅ）が、導入されている。例えば、ＯＰＣは、結果として得られるパターンが元の所望のパターンに対応するようにフォトマスクパターンを改善することによって、いくらかの回折限界を克服するのを助ける。そのような改善は、メインのＩＣ特徴、すなわち転写性のある特徴のサイズおよびエッジの乱れを含むことができる。他の改善は、パターンの角へのセリフの付加を伴い、および／または近くでサブレゾリューションアシストフィーチャ（ＳＲＡＦ：ｓｕｂ−ｒｅｓｏｌｕｔｉｏｎ  ａｓｓｉｓｔ  ｆｅａｔｕｒｅ）を与えるものであり、これらは、プリントされた特徴になることが予期されず、したがってプリント可能でない特徴と呼ばれる。これらのプリント可能でない特徴は、さもなければプリントプロセス中に生じてしまうパターン乱れをキャンセルすることが期待される。しかしながら、ＯＰＣは、マスクパターンを一層より複雑にさせ、通常、結果として得られるウエハ画像を非常に類似しないものにする。さらに、ＯＰＣの欠陥は、多くの場合、転写性のある欠陥に変化することはない。フォトマスクパターンの複雑度の増加、および全てのパターンの要素がプリントされるパターンに直接影響を及ぼすことが予期されるとは限らないことは、有意義なパターン欠陥についてのフォトマスクの検査の作業をよりずっと難しいものにさせる。半導体産業が一層より小さい特徴へ移るときに、最先端の製造業者は、逆リソグラフィ技術（ＩＬＴ：ｉｎｖｅｒｓｅ  ｌｉｔｈｏｇｒａｐｈｙ  ｔｅｃｈｎｏｌｏｇｙ）などのさらに新型のＯＰＣの使用を始めており、これによって、マスク上のパターンが非常に複雑になっている。したがって、ウエハを物理的に作製する前に、マスク書き込みの忠実度、およびそのウエハのプリント品質を知ることが非常に望ましい。
【００５４】
欠陥の重要性の基準の１つは、そのＭＥＥＦすなわちマスクエラー増大因子である。この因子は、マスク平面内の欠陥のサイズを、それがプリントされた画像上で有する衝撃の大きさに関連付ける。高いＭＥＥＦの欠陥は、プリントされたパターンに大きな影響を与え、低いＭＥＥＦの欠陥は、プリントされたパターンにあまり影響を与えない、または少しも影響を与えない。パターンの密集した細かいラインの部分における小型のメインパターンの特徴は、高いＭＥＥＦを有する欠陥の一例であり、小さいマスク平面のサイジングエラーは、プリントされたパターンの完全な崩壊を引き起こし得る。隔離された小さいピンホールは、低いＭＥＥＦを有する欠陥の一例であり、欠陥自体があまりに小さくてプリントできず、そのエッジのプリントされ方に影響を及ぼさないように最も近いメインパターンのエッジから十分に距離がある。これらの例が示すように、欠陥のＭＥＥＦは、欠陥タイプおよび欠陥が位置するパターンの状況のいく分複雑な関数である。
【００５５】
よりかなり大きいウエハ欠陥を引き起こすより高いＭＥＥＦのマスク欠陥に加えて、ある設計パターン、および対応するマスクパターンは、プロセスの変化に対して他の設計およびマスクパターンよりも頑健であり得る。製造プロセスが最適なプロセス条件から漂い始めるときに、ある種のマスクパターンは、よりかなり大きいウエハパターンの乱れおよび欠陥になり得る。
【００５６】
図２Ｂに戻ると、次いで、動作２２４において、設計に欠陥があるかを決定することができる。一実施形態では、特定の範囲のプロセス条件（またはプロセスウィンドウ）の下で設計パターンが容認できないウエハパターンの変化になるのか決定される。プロセスの変わりやすさによりかなり大きな差が存在するか決定される。異なったように処理されたウエハパターンの間の差が対応する閾値よりも大きい場合、そのようなウエハパターンは、欠陥とみなされ得る。設計に欠陥があると決定される場合、動作２３２において、設計が改善され得る。
【００５７】
設計に欠陥があるとみなされない場合、動作２２６において、ホットスポットを監視できるかを決定することができる。ホットスポットが監視されるべき場合、例えば、以下にさらに説明されるように、動作２３４において、ホットスポットは、ウエハプロセス中に監視することができる。例えば、ホットスポットのパターンは、ウエハの製造中に監視することができ、それによってプロセスが仕様から外れ、対応するウエハパターンに、容認できない値に変化する重要なパラメータを有するようにさせたかが判断される。一実施は、対応するホットスポットのレチクルおよび／またはウエハパターンの検査のために比較的高いＭＥＥＦのレベルを設定することを含み得る。条件が公称のプロセス条件からさらに離れるのにつれ、ＣＤまたはＥＰＥはより大きくなる可能性があり、ウエハ製造プロセスの完全性を危うくさせ得る。
【００５８】
ホットスポットのパターンは、そのような変化が元の意図された設計（例えば、事前ＯＰＣのデータ）とどのように比較するのかにかかわらず、テストマスクパターンが予め定められた量だけ変化するときに単に特定することができる。言い換えれば、異なるプロセス条件下での物理的なマスクパターンのかなり大きな変化は、意図された設計パターンに関する問題を示し得る。対応するモデル化された画像部分間の差は、設計されたパターンおよび製造されたマスクへのプロセス条件の影響の差を表す。特定の設計パターンに関連した差は、一般に、「設計のホットスポット」、または単に「ホットスポット」と呼ばれ、恐らくやはり、製造されたマスクに関して試験された特定のプロセス条件に関しての設計の弱点を表す。異なるプロセス条件についてモデル化された画像間で見つかり得る差の種類の例は、ＣＤ（ｃｒｉｔｉｃａｌ  ｄｉｍｅｎｓｉｏｎ）またはＥＰＥ（ｅｄｇｅ  ｐｌａｃｅｍｅｎｔ  ｅｒｒｏｒ）である。
【００５９】
別の実施形態では、モデルが事後ＯＰＣの設計データベースに適用される場合、結果として得られるウエハパターンは、設計者によってウエハ上にプリントされることが意図されるパターンに対応し得る。適宜、モデルを事後ＯＰＣのデータベースに適用することから得られる結果を使用することができ、モデル化された画像は、ホットスポットの検出を改善する。例えば、事後ＯＰＣのデータベースのモデルは、設計の影響だけを考慮に入れ、したがって設計へのウエハプロセスの影響と製造されたマスクへのウエハプロセスの影響を分離するために使用することができる。マスクの近距離場からのモデル化されたパターンは、対応する事後ＯＰＣのパターンからのモデル化されたウエハ画像と比較することができる。例えば、様々なプロセスの変化についての１セットのモデル化されたウエハパターンが、同じプロセスの変化についての対応するモデル化された事後ＯＰＣのウエハパターンに適合するとき、プロセスの変化によるウエハパターン（またはレジストパターン）の変化は、マスクパターン中の欠陥からではなく設計パターンから生じることが決定され得、これは、再設計または監視され得る。しかしながら、事後ＯＰＣのデータベースからのプロセスの変動によるウエハ上の変化が、再現されたマスク（またはマスクの近距離場）からの同じプロセスの変動によるウエハ上の変化とは異なる場合、これらのホットスポットは、実際のマスクからのホットスポットから生じるとみなされ、これは、修理または監視することができる。
【００６０】
動作２２８において、レチクルが修理されるべきかを決定することもできる。予想されるウエハパターンの変動は、リソグラフィプロセス中に使用されることが予期されるプロセスウィンドウについての仕様外であることが決定され得る。いくつかの場合では、動作２３６において、レチクルは、修理される欠陥を含み得る。次いで、レチクルが評価され得る。さもなければ、レチクルは、修理可能でない場合、動作２３０において廃棄され得る。次いで、新しいレチクルが製造および評価され得る。
【００６１】
図３Ｂは、本発明の代替実施形態による欠陥検査手順３５０を示す流れ図である。最初、レチクルは、欠陥がないか検査される。動作３５２において、各テストレチクル画像を、その対応する参照画像と位置合わせすることができる。一実施形態では、ダイツーダイ（ｄｉｅ−ｔｏ−ｄｉｅ）またはセルツーセル（ｃｅｌｌ−ｔｏ−ｃｅｌｌ）の位置合わせが達成され得る。別の実施形態では、レチクル画像は、対応する事後ＯＰＣの設計の描画と位置合わせされる。例えば、事後ＯＰＣの設計は、レチクルの製造プロセスおよびそのような設計のイメージングをシミュレートするように処理される。例えば、角は、丸められる。
【００６２】
動作３５４において、位置合わせされたテスト画像および参照画像の各対は、レチクルの欠陥の位置を突き止めるために関連した閾値に基づいて比較される。さらに上述されるように、任意の適切なメカニズムを使用して閾値を特定のレチクルエリアに関連付けることができる。
【００６３】
次いで、動作３５６において、レチクルの欠陥ごとに、対応するシミュレートされたウエハの欠陥のエリアは、その対応する参照事前ＯＰＣのエリアと比較することができる。すなわち、シミュレートされたウエハパターンは、レチクルの欠陥が意図された設計から変わるウエハの欠陥になるか決定するために査定される。事前ＯＰＣの設計パターンは、そのような設計パターンをイメージングするための検査ツールの動作をモデル化するようにさらに処理することもできる。
【００６４】
図２Ｂに戻ると、次いで、動作２２４において、レチクルの設計に欠陥があるかを決定することができる。例えば、レチクルの欠陥についてのシミュレートされたウエハパターンとその対応する事前ＯＰＣのパターンの間の何らかの差が予め定められた閾値を上回るかを決定することができる。手順２００は、上述したようにウエハのホットスポットを監視するか、レチクルを修理するか、またはレチクルを再設計するか決定するように続けることができる。
【００６５】
本発明のいくつかの技法は、ウエハの製造前に、マスクパターン評価、および物理的なマスク上の弱いパターンまたはホットスポットの早期検出を行う。本発明のいくつかの実施形態は、マスクの近距離場の再現を上回るものをもたらす。レチクル画像に基づくウエハパターンの再現の実現に加えて、焦点および露光の多くの設定を含む全範囲のウエハプロセスの影響と、ウエハのレジスト、エッチング、ＣＭＰ、および任意の他のウエハプロセスの影響とが検討され得る。マスクの近距離場がレチクルの設計データを用いることなくレチクル画像だけを用いて再現されるので、マスクの従前の知識は必要とされない。マスクパターンは、概して、ウエハパターンよりも４倍大きいので、設計データベースに対するパターンのより正確な位置が決定され得る。上記の技法は、ＥＵＶマスクに対するパターン評価のように、任意の適切なタイプのマスクに拡張することもできる。
【００６６】
本発明の技法は、ハードウェアおよび／またはソフトウェアの任意の適切な組み合わせで実現することができる。図４は、本発明の技法を実施することができる検査システム４００の一例の概略図である。検査システム４００は、高いＮＡの検査ツールまたはスキャナを模した低いＮＡのインスペクタ（図示せず）から入力４０２を受信することができる。検査システムは、受信した入力４０２を配信するデータ配信システム（例えば、４０４ａおよび４０４ｂ）と、マスクの近距離場およびウエハ再現、プロセスモデリングなどのための強度信号（またはパッチ）処理システム（例えば、パッチプロセッサ）およびレチクル評価システム（例えば、４１２）と、検査システムコンポーネント間の通信を可能にするためのネットワーク（例えば交換ネットワーク４０８）と、任意的な大容量記憶装置４１６と、特定されたホットスポット、検査結果等をレビューするための１つまたは複数の検査制御および／またはレビューステーション（例えば、４１０）を含むこともできる。検査システム４００の各プロセッサは、典型的には、１つまたは複数のマイクロプロセッサの集積回路を備えることができ、インタフェースおよび／またはメモリの集積回路を含むこともでき、１つまたは複数の共有および／またはグローバルメモリデバイスにさらに結合することができる。
【００６７】
入力データ４０２を生成するインスペクタまたはデータ取得システム（図示せず）は、レチクルの強度信号または画像を得るための（例えば本明細書中にさらに説明されるような）任意の適切な機器の形態をとることができる。例えば、低いＮＡのインスペクタは、反射し、透過し、または他の方法で１つまたは複数の光センサに向けられた検出された光の一部分に基づいて、光学的な画像を構成し、またはレチクルの一部分の強度値を生成することができる。次いで、低いＮＡのインスペクタは、強度値または画像を出力することができる。
【００６８】
低いＮＡの検査ツールは、レチクルの各パッチにわたっての入射光学ビームがスキャンするとき、反射光および／または透過光を検出し集光するよう動作可能であり得る。上述したように、入射光学ビームは、各々が複数のパッチで構成されているレチクルの帯にわたってスキャンすることができる。光は、各パッチの複数の点またはサブエリアからこの入射ビームに応じて集光される。
【００６９】
低いＮＡの検査ツールは、概して、そのような検出された光を強度値に対応する検出された信号に変換するように動作可能であり得る。検出された信号は、レチクルの異なる位置で異なる強度値に対応する振幅値を有する電磁波形の形態をとることができる。検出された信号は、強度値および関連するレチクル点の座標の簡単なリストの形態をとることもできる。検出された信号は、レチクル上の異なる位置または走査点に対応する異なる強度値を有する画像の形をとることもできる。レチクルの２つ以上の画像は、レチクルの全ての位置がスキャンされ検出された信号に変換された後で生成することがき、あるいは２つ以上の画像の部分は、各レチクルの部分がスキャンされ、レチクル全体のスキャンの後で、レチクルについての最終的な２つ以上の画像が完成されるときに、生成することができる。
【００７０】
検出された信号は、空間像の形態をとることもできる。すなわち、空間イメージング技術を使用して、ウエハ上で露光されるフォトレジストパターンの空間像を生成するように、フォトリソグラフィシステムの光学的効果をシミュレートすることができる。一般に、フォトリソグラフィツールの光学系は、レチクルからの検出された信号に基づいて空間像を生成するようにエミュレートされる。空間像は、ウエハのフォトレジスト層の上へのフォトリソグラフィ光学系およびレチクルを通過した光から生成されるパターンに対応する。さらに、特定のタイプのフォトレジスト材料についてのフォトレジスト露光プロセスもエミュレートすることができる。
【００７１】
入射光または検出された光は、任意の適切な入射角で任意の入射光または検出された光のプロファイルを生成するように、任意の適切な空間的開口を通過することができる。一例として、プログラマブル照明または検出開口は、ダイポール、四重極、クエーサー、アニュラス等の特定のビームプロファイルを生成するために利用することができる。特定の例では、ソースマスク最適化（ＳＭＯ：Ｓｏｕｒｃｅ  Ｍａｓｋ  Ｏｐｔｉｍｉｚａｔｉｏｎ）または任意の画素化照明技術が実装されてもよい。入射光は、１つまたは複数の偏光における照明瞳の全部または一部を直線偏光するための直線偏光子を通過することもできる。検出された光は、コレクションビームの特定の領域を阻止するためにアポダイゼイション構成要素を通過させてもよい。
【００７２】
強度データまたは画像データ４０２は、ネットワーク４０８を介してデータ配信システムによって受信することができる。データ配信システムは、受信されたデータ４０２の少なくとも一部を保持するために、ＲＡＭバッファなどの１つまたは複数のメモリデバイスと関連付けされてもよい。好ましくは、メモリの合計は、データの見本全体を保持するのに十分大きい。例えば、１ギガバイトのメモリは、１００万×１０００画素または点である見本に対して十分に働く。
【００７３】
データ配信システム（例えば、４０４ａおよび４０４ｂ）は、受信した入力データ４０２の一部をプロセッサ（例えば、４０６ａおよび４０６ｂ）へ配信する制御を行うこともできる。例えば、データ配信システムは、第１のパッチのためのデータを第１のパッチプロセッサ４０６ａへルーティングしてもよく、第２のパッチのためのデータをパッチプロセッサ４０６ｂへルーティングしてもよい。また、複数のパッチについての複数のデータセットは、各パッチプロセッサへルーティングすることもできる。
【００７４】
パッチプロセッサは、レチクルの少なくとも一部またはパッチに対応する強度値または画像を受信することができる。パッチプロセッサは、それぞれ、受信されたデータ部分を保持するなどのローカルメモリ機能を与えるＤＲＡＭデバイスなどの１つまたは複数のメモリデバイス（図示せず）に結合するか、またはこれと一体化することもできる。好ましくは、メモリは、レチクルのパッチに対応するデータを保持するのに十分大きい。例えば、８メガバイトのメモリは、５１２×１０２４画素であるパッチに対応する強度値または画像についてよく働く。代替的に、パッチプロセッサは、メモリを共有してもよい。
【００７５】
入力データ４０２の各セットは、レチクルの帯に対応することができる。１つまたは複数のデータセットは、データ配信システムのメモリに記憶することができる。このメモリは、データ配信システム内の１つまたは複数のプロセッサによって制御することができ、メモリは、複数のパーティションに分割されてもよい。例えば、データ配信システムは、帯の一部に対応するデータを第１のメモリパーティション（図示せず）内に受け入れることができ、データ配信システムは、別の帯に対応する別のデータを第２のメモリパーティション（図示せず）内に受け入れることができる。好ましくは、データ配信システムの各メモリパーティションは、そのようなメモリパーティションと関連付けされたプロセッサへルーティングされるデータの一部を単に保持する。例えば、データ配信システムの第１メモリパーティションは、第１のデータを保持してパッチプロセッサ４０６ａへルーティングすることができ、第２のメモリパーティションは、第２のデータを保持してパッチプロセッサ４０６ｂへルーティングすることができる。
【００７６】
データ配信システムは、データの任意の適切なパラメータに基づいてデータの各データセットを定義および配信することができる。例えば、データは、レチクル上のパッチの対応する位置に基づいて定義および配信することができる。一実施形態においては、各帯は、帯内の画素の水平位置に対応する列位置の範囲と関連付けされている。例えば、帯の列０〜列２５６は、第１のパッチに対応することができ、これらの列内の画素は、１つまたは複数のパッチプロセッサへルーティングされる第１の画像または第１のセットの強度値を含む。同様に、見本の列２５７〜列５１２は、第２のパッチに対応することができ、これらの列における画素は、異なるパッチプロセッサへルーティングされる第２の画像または第２のセットの強度値を含む。
【００７７】
図５Ａは、いくつかの実施形態によるマスクパターンをフォトマスクＭからウエハＷの上へ転写するのに使用することができる典型的なリソグラフィシステム５００の簡略化した概略図である。そのようなシステムの例には、スキャナおよびステッパが含まれ、より具体的には、オランダ国フェルトホーフェンのＡＳＭＬ社から入手可能なＴＷＩＮＳＣＡＮ  ＮＸＴ：１９７０Ｃｉ  Ｓｔｅｐ−ａｎｄ−Ｓｃａｎシステムが含まれる。一般に、照明源５０３は、光ビームを、照明光学系５０７（例えばレンズ５０５）を通じて、マスク平面５０２に位置するフォトマスクＭの上へ向ける。照明レンズ５０５は、平面５０２において開口数５０１を有する。開口数５０１の値は、フォトマスク上のどの欠陥がリソグラフィ的にかなり大きい欠陥であり、どの欠陥がそうではないかに影響を与える。フォトマスクＭを通過するビームの一部は、パターン転写を開始するために結像光学系５１３を通じてウエハＷ上へ向けられるパターン化された光学信号を形成する。
【００７８】
図５Ｂは、いくつかの実施形態による、照明光学系５５１ａを有するとともにレチクル平面５５２で比較的大きい開口数５５１ｂを有する結像レンズ系を備える検査システム５５０の一例の概略図を示す。示された検査システム５５０は、検出光学系５５３ａおよび５５３ｂを備え、強化された検査を行うために、例えば６０〜２００倍以上の倍率を与えるように設計された顕微鏡の拡大光学系を含む。例えば、検査システムのレチクル平面５５２における開口数５５１ｂは、リソグラフィシステム５００のレチクル平面５０２における開口数５０１よりもかなり大きくすることができ、これにより、試験検査画像と実際の印刷画像との間の差になる。
【００７９】
本明細書中に記載された検査技術は、図５Ｂに概略的に示されたシステムなどの様々な特別に構成された検査システムに実装することができる。例示されたシステム５５０は、照明光学系５５１ａを通じてレチクル平面５５２内のフォトマスクＭ上へ向けられる光ビームを生成する照明源５６０を備える。光源の例には、コヒーレントレーザ光源（例えば遠紫外線またはガスレーザ発生装置）、フィルタ付きランプ、ＬＥＤ光源等が含まれる。一例として、光源は１９３ｎｍレーザである。上述した通り、検査システム５５０は、対応するリソグラフィシステムのレチクル平面の開口数（例えば、図５Ａおける要素５０１）に等しいまたはそれよりも大きいものとすることができる開口数５５１ｂをレチクル平面５５２に有することもできる。検査されるフォトマスクＭは、レチクル平面５５２におけるマスクステージの上に配置され、光源に対して露光される。
【００８０】
マスクＭからのパターン化された画像は、光学的要素５５３ａの集光部を通じて向けられ、この光学的要素５５３ａはパターン化された画像をセンサ５５４ａ上へ投影する。反射システムにおいて、光学的要素（例えばビームスプリッタ５７６および検出レンズ５７８）は、マスクＭからの反射光をセンサ５５４ｂ上へ向け、取り込む。２つのセンサが図示されているが、同一のレチクルエリアの異なるスキャン中に単一のセンサを用いて、反射光および透過光を検出することができる。適切なセンサには、電荷結合素子（ＣＣＤ）、ＣＣＤアレイ、時間遅延積分（ＴＤＩ）センサ、ＴＤＩセンサアレイ、光電子増倍管（ＰＭＴ）、および他のセンサが含まれる。
【００８１】
照明光学系の列は、レチクルのパッチをスキャンするように任意の適切な機構により、マスクステージに対して移動することができ、および／またはステージを検出器またはカメラに対して移動することができる。例えば、ステージを移動させるために、モータ機構を利用することができる。モータ機構は、例として、ねじ駆動装置およびステッピングモータ、フィードバックポジション付きリニアドライブ、またはバンドアクチュエータおよびステッピングモータによって構成することができる。
【００８２】
各センサ（例えば５５４ａおよび／または５５４ｂ）によって取り込まれる信号は、コンピュータシステム５７３によって処理されることができ、またはより一般的には、１つまたは複数の信号処理装置によって処理されることができ、これらはそれぞれ、各センサからのアナログ信号を処理のためにデジタル信号に変換するように構成されたアナログ／デジタルコンバータを備える。典型的には、コンピュータシステム５７３は、入出力ポートに結合された１つまたは複数のプロセッサを有するとともに、適切なバスまたは他の通信機構を介して１つまたは複数のメモリを有する。
【００８３】
また、コンピュータシステム５７３は、焦点および他の検査法のパラメータを変更するなどのユーザ入力を行うための１つまたは複数の入力装置（例えばキーボード、マウス、ジョイスティック）を備えることもできる。さらに、コンピュータシステム５７３は、例えば、試料位置（例えばピント合わせおよびスキャン）を制御するためのステージに接続することもできるとともに、他の検査パラメータ、およびそのような他の検査システムの構成要素の構成を制御するために他の検査システムの構成要素に接続することもできる。
【００８４】
コンピュータシステム５７３は、結果として得られた強度値、画像および他の検査結果を表示するためにユーザインタフェース（例えば、コンピュータ画面）を設けるように（例えば、プログラミング命令により）構成することができる。コンピュータシステム５７３は、反射および／または透過した検知された光ビームの強度、位相、および／または他の特性を解析するように構成することができる。コンピュータシステム５７３は、結果として得られた強度値、画像、および他の検査特性を表示するためのユーザインタフェースを（例えばコンピュータ画面上に）設けるように（例えば、プログラミング命令により）構成することができる。いくつかの実施形態では、コンピュータシステム５７３は、上記詳述した検査技術を実行するように構成されている。
【００８５】
そのような情報およびプログラム命令は、特別に構成されたコンピュータシステム上で実施され得るので、そのようなシステムは、コンピュータ読み取り可能媒体に格納することができる本明細書に記載された様々な処理を実行するためのプログラム命令／コンピュータコードを備える。機械可読媒体の例には、これらに限定されるものではないが、ハードディスク、フロッピー（登録商標）ディスク、磁気テープのような磁気媒体、ＣＤ−ＲＯＭディスクなどの光学的媒体、光学ディスクなどの光磁気媒体、および読出し専用メモリデバイス（ＲＯＭ）およびランダムアクセスメモリ（ＲＡＭ）などのプログラム命令を格納および実行するように特別に構成されたハードウェアデバイスが含まれる。プログラム命令の例には、コンパイラにより生成されるような機械コードと、インタープリタを用いてコンピュータによって実行することができるより高いレベルのコードを含むファイルとの双方が含まれる。
【００８６】
いくつかの実施形態では、フォトマスクを検査するシステムは、本明細書に記載された技術を実行するように構成された少なくとも１つのメモリと少なくとも１つのプロセッサとを備える。検査システムの一例には、特別に構成された、カリフォルニア州ミルピタスのＫＬＡ−Ｔｅｎｃｏｒ社から入手可能なＴｅｒａＳｃａｎ（商標）ＤＵＶ検査システムが含まれる。
【００８７】
前述の発明は、理解しやすいようにいくらか詳細に説明されたが、添付の特許請求の範囲内で変更および修正を行うことができることは明らかであろう。本発明のプロセス、システム、および装置を実施する多くの代替的なやり方が存在することを理解されたい。したがって、本実施形態は、例示とみなされるべきであって、限定ではなく、本発明は本明細書に記載した詳細事に限定されるものでもない。
【図１】
2020166282.tif 000006
【図２Ａ】
2020166282.tif 000007
【図２Ｂ】
2020166282.tif 000008
【図３Ａ】
2020166282.tif 000009
【図３Ｂ】
2020166282.tif 000010
【図４】
2020166282.tif 000011
【図５Ａ】
2020166282.tif 000012
【図５Ｂ】
2020166282.tif 000013
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
フォトリソグラフィのレチクルを評価する方法であって、
レチクル検査ツールを用いて、テストレチクルの複数のパターンエリアの各々から異なるイメージング構成で複数の画像を取得するステップと、
前記テストレチクルの各パターンエリアから取得した前記画像に基づいて前記テストレチクルの前記パターンエリアごとにレチクル近接場を再現するステップと、
リソグラフィモデルを前記テストレチクルについての前記レチクル近接場に適用して、複数のテストウエハ画像をシミュレートするステップと、
シミュレートされた前記テストウエハ画像を解析して、前記テストレチクルが不安定なウエハまたは欠陥ウエハになる可能性があるかを決定するステップと、
を含むことを特徴とする方法。
【請求項２】
請求項１に記載の方法であって、
レチクル検査ツールを用いて、較正レチクルの複数のパターンエリアの各々から異なるイメージング構成で複数の画像を取得するステップと、
前記較正レチクルの各パターンエリアから取得した前記画像に基づいて前記較正レチクルの前記パターンエリアごとのレチクル近接場を再現するステップと、
前記較正レチクルについて再現された前記レチクル近接場を用いて、前記レチクル近接場に基づく複数のウエハ画像をシミュレートするステップと、
前記シミュレートされたウエハ画像が、前記較正レチクルを用いてプリントされたウエハに一致するように前記リソグラフィモデルのパラメータを調整するステップと、
をさらに含むことを特徴とする方法。
【請求項３】
請求項１に記載の方法であって、前記リソグラフィモデルが、レチクルから再現されたレチクル近接場に基づくことを特徴とする方法。
【請求項４】
請求項３に記載の方法であって、前記レチクル近接場は、前記レチクル近接場を決定するための準ニュートン法または共役勾配法を用いて再現されることを特徴とする方法。
【請求項５】
請求項３に記載の方法であって、前記レチクル近接場は、取得した前記画像と前記レチクル近接場から計算される複数の画像との間の複数の自乗差の合計を最小にする回帰技法によって再現されることを特徴とする方法。
【請求項６】
請求項３に記載の方法であって、前記レチクル近接場は、ホプキンス近似を用いて再現されることを特徴とする方法。
【請求項７】
請求項３に記載の方法であって、前記レチクル近接場は、前記レチクルを製造するのに使用された設計データベースを用いることなく再現されることを特徴とする方法。
【請求項８】
請求項３に記載の方法であって、取得した前記画像は、同じレチクル近接場になるように選択される異なるイメージング条件で取得される少なくとも３つの画像を含むことを特徴とする方法。
【請求項９】
請求項８に記載の方法であって、前記異なるイメージング条件は、コレクションビームの異なる部分をぼんやりさせるために、異なる焦点設定、異なる照明方向もしくは照明パターン、照明瞳の全体もしくは様々な照明瞳の部分についての異なる直線偏光、および／または異なるアポダイゼイション設定を含むことを特徴とする方法。
【請求項１０】
請求項１に記載の方法であって、前記リソグラフィモデルは、特定のフォトレジスト材料の影響を含めてフォトリソグラフィプロセスをシミュレートすることを特徴とする方法。
【請求項１１】
請求項１に記載の方法であって、前記リソグラフィモデルは、複数の異なるリソグラフィプロセス条件下で前記テストレチクル近接場に適用され、シミュレートされた前記テストウエハ画像を解析するステップは、異なるプロセス条件を有するとともに同じレチクルエリアに関連しているシミュレートされた前記テストウエハ画像同士を比較することによって、前記テストレチクルが前記異なるリソグラフィプロセス条件下で不安定なウエハになる可能性があるかを決定するステップを含むことを特徴とする方法。
【請求項１２】
フォトリソグラフィのレチクルを評価する検査システムであって、
入射ビームを生成する光源と、
前記入射ビームをレチクル上へ向ける照明光学系と、
前記レチクルの各パターンエリアからの出力ビームを少なくとも１つのセンサへ向ける集光光学系と、
前記出力ビームを検出し、前記出力ビームに基づいて画像または信号を生成する少なくとも１つのセンサと、
コントローラであって、以下の動作、すなわち、
テストレチクルの複数のパターンエリアの各々から異なるイメージング構成で複数の画像を取得させ、
前記テストレチクルの各パターンエリアから取得した前記画像に基づいて前記テストレチクルの前記パターンエリアごとにレチクル近接場を再現し、
リソグラフィモデルを前記テストレチクルについての前記レチクル近接場に適用して、複数のテストウエハ画像をシミュレートし、
シミュレートされた前記テストウエハ画像を解析して、前記テストレチクルが不安定なウエハまたは欠陥ウエハになる可能性があるかを決定する
ことを実行するように構成されているコントローラと、
を備えることを特徴とするシステム。
【請求項１３】
請求項１２に記載のシステムであって、前記コントローラがさらに、
較正レチクルの複数のパターンエリアの各々から異なるイメージング構成で複数の画像を取得させ、
前記較正レチクルの各パターンエリアから取得した前記画像に基づいて前記較正レチクルの前記パターンエリアごとのレチクル近接場を再現し、
前記較正レチクルについて再現された前記レチクル近接場を用いて、前記レチクル近接場に基づく複数のウエハ画像をシミュレートし、
シミュレートされたウエハ画像が、前記較正レチクルを用いてプリントされたウエハに一致するように前記リソグラフィモデルのパラメータを調整する、
ことを実行するように構成されている、システム。
【請求項１４】
請求項１２に記載のシステムであって、前記リソグラフィモデルが、レチクルから再現されたレチクル近接場に基づくことを特徴とするシステム。
【請求項１５】
請求項１４に記載のシステムであって、前記レチクル近接場は、前記レチクル近接場を決定するための準ニュートン法または共役勾配法を用いて再現されることを特徴とするシステム。
【請求項１６】
請求項１４に記載のシステムであって、前記レチクル近接場は、取得した前記画像と前記レチクル近接場から計算される複数の画像との間の複数の自乗差の合計を最小にする回帰技法によって再現されることを特徴とするシステム。
【請求項１７】
請求項１４に記載のシステムであって、前記レチクル近接場は、ホプキンス近似を用いて再現されることを特徴とするシステム。
【請求項１８】
請求項１４に記載のシステムであって、前記レチクル近接場は、前記レチクルを製造するのに使用された設計データベースを用いることなく再現されることを特徴とするシステム。
【請求項１９】
請求項１４に記載のシステムであって、取得した前記画像は、同じレチクル近接場になるように選択される異なるイメージング条件で取得される少なくとも３つの画像を含むことを特徴とするシステム。
【請求項２０】
請求項１９に記載のシステムであって、前記異なるイメージング条件は、コレクションビームの異なる部分をぼんやりさせるために、異なる焦点設定、異なる照明方向もしくは照明パターン、照明瞳の全体もしくは様々な照明瞳の部分についての異なる直線偏光、および／または異なるアポダイゼイション設定を含むことを特徴とするシステム。
【請求項２１】
請求項１２に記載のシステムであって、前記リソグラフィモデルは、特定のフォトレジスト材料の影響を含めてフォトリソグラフィプロセスをシミュレートすることを特徴とするシステム。
【請求項２２】
請求項１２に記載のシステムであって、前記リソグラフィモデルは、複数の異なるリソグラフィプロセス条件下でテストレチクル近接場に適用され、シミュレートされた前記テストウエハ画像の解析は、異なるプロセス条件を有するとともに同じレチクルエリアに関連しているシミュレートされた前記テスト画像同士を比較することによって、前記テストレチクルが前記異なるリソグラフィプロセス条件下で不安定なウエハになる可能性があるかを決定することを含むことを特徴とするシステム。